(57)【要約】      （修正有）【課題】着脱自在である手提げ型バッグを備えたランドセルカバーであって、前記手提げ型バッグにＡ４判ファイルを折り曲げずに収納を可能として、前記手提げ型バッグと前記ランドセルカバーとの付け外しが容易である、バッグ付ランドセルカバーを提供する。【解決手段】ランドセルの閉蓋状態時に、ランドセル本体前面部とランドセルカバー内面部との間に手提げ型バッグが挟持１１され、前記手提げ型バッグの前記ランドセルカバーへの取付手段をスナップボタンとする。【選択図】図５
0003184840.tif 000002
【実用新案登録請求の範囲】
【請求項１】
ランドセルの蓋を被うランドセルカバーと、前記ランドセルカバーに着脱自在である手提げ型バッグとからなる、バッグ付ランドセルカバーであって、前記手提げ型バッグは、ランドセルの閉蓋状態時に、ランドセル本体前面部と前記ランドセルカバー内面部との間に位置することを特徴とするバッグ付ランドセルカバー
【請求項２】
請求項１記載のバッグ付ランドセルカバーであって、前記手提げ型バッグの前記ランドセルカバーへの取付手段は、スナップボタンであって、前記手提げ型バッグ背面部に一方のスナップボタン係合部が取り付けられ、前記ランドセルカバー内面部に他方のスナップボタン係合部が取り付けられていることを特徴とするバッグ付ランドセルカバー
【請求項３】
請求項１乃至２いずれか記載のバッグ付ランドセルカバーであって、前記ランドセルカバーの内面部又は／及び前記手提げ型バッグの前面部は、透明又は半透明な部材により形成されていることを特徴とするバッグ付ランドセルカバー
【請求項４】
請求項１乃至３いずれか記載のバッグ付ランドセルカバーであって、前記手提げ型バッグは、前面部に副収納部を備え、前記副収納部は、透明又は半透明な部材により形成されていることを特徴とするバッグ付ランドセルカバー
【請求項５】
請求項１乃至４いずれか記載のバッグ付ランドセルカバーであって、前記手提げ型バッグ収納部の縦横寸法は、縦方向が略Ａ４判ファイル短手方向サイズ以上であり、横方向が略Ａ４判ファイル長手方向サイズ以上であることを特徴とするバッグ付ランドセルカバー
【考案の詳細な説明】
【技術分野】
【０００１】
本考案は、着脱自在である手提げ型バッグを装備したランドセルカバーに関する。
【背景技術】
【０００２】
近年では、小学生の教科書のサイズもＢ５判からＡ４判へと換わるとともに、小学校でもＡ４判ファイルがよく使用されるようになっている。そのため、小学生においても、Ａ４判ファイルが収納できるサイズのランドセルが求められているが、標準規格のランドセルではＡ４版ファイルの収納は困難であり、まだまだＡ４判ファイル対応のランドセルは少ないため、好みのデザインのランドセルを選べないという問題がある。
そこで、ランドセルカバーにＡ４判ファイルを収納したり、手提げ袋を取り付けるランドセルに関する技術が公開されている。
【先行技術文献】
【特許文献】
【０００３】
【特許文献１】特開２０１１−２３９９９７号公報
【特許文献２】特開２００２−２３８６４５号公報
【考案の概要】
【考案が解決しようとする課題】
【０００４】
特許文献１に記載のランドセルの蓋カバーは、ランドセルの蓋を被うカバーを袋状に形成し、収納部を設けたものであるが、収納部の開口部は開放状態であるため、収納物が落ちる恐れがあり、Ａ４判ファイルを収納するためにはカバーをかなり幅広にしなければならない等の問題があった。
そして、ランドセル蓋は閉鎖時において、かなり湾曲状態となるため、蓋カバーに対して、Ａ４判ファイルを収納しようとする場合、折り曲がる恐れがあった。
【０００５】
特許文献２記載のランドセルは、ランドセル蓋の外面部に着脱可能な手提げ袋を取り付けたものとなるが、ランドセルの外観を大きく損ねることに加えて、手提げ袋の付け外しが容易でないという問題があった。
【０００６】
そこで、本考案は、ランドセルの外観を損ねることなく、Ａ４判ファイルを折り曲げずに収納可能とする、バッグ付ランドセルカバーを提供することを目的とする。
【課題を解決するための手段】
【０００７】
請求項１記載のバッグ付ランドセルカバーは、ランドセルの蓋を被うランドセルカバーと、前記ランドセルカバーに着脱自在である手提げ型バッグとからなる、バッグ付ランドセルカバーであって、前記手提げ型バッグは、ランドセルの閉蓋状態時に、ランドセル本体前面部と前記ランドセルカバー内面部との間に位置することを特徴とする。
【０００８】
ランドセルカバー内面部に手提げ型バッグを取り付けることにより、ランドセルの外観を損ねることなく、収納量を増やすことができる。そして、手提げ型バッグは、ランドセル本体前面部とランドセル蓋内面部とに挟持されることになる。したがって、手提げ型バッグをランドセル蓋外面部に取り付ける方法と比べて、収納物が安定する。そして、ランドセル蓋を開蓋状態にしないと、手提げ型バッグを開けることができないため、収納物の安全性も図れることとなる。
【０００９】
請求項２記載のバッグ付ランドセルカバーは、請求項１記載のバッグ付ランドセルカバーであって、前記手提げ型バッグの前記ランドセルカバーへの取付手段は、スナップボタンであって、前記手提げ型バッグ背面部に一方のスナップボタン係合部が取り付けられ、前記ランドセルカバー内面部に他方のスナップボタン係合部が取り付けられていることを特徴とする。
【００１０】
ランドセルカバーへの手提げ型バッグの取付手段にスナップボタンを使用することによって、付け外しが容易となる。
【００１１】
請求項３記載のバッグ付ランドセルカバーは、請求項１乃至２いずれか記載のバッグ付ランドセルカバーであって、前記ランドセルカバーの内面部又は／及び前記手提げ型バッグの前面部は、透明又は半透明な部材により形成されていることを特徴とする。
【００１２】
ランドセルカバー内面部又は／及び手提げ型バッグに透明部材又は半透明部材を使用することによって、手提げ型バッグを開けなくても、収納物が確認できることとなる。また、ランドセルカバー内面部とランドセル蓋内面部との間に挟んだ書類等を、ランドセルカバーをランドセル蓋から外さなくても、透視できることとなる。
【００１３】
請求項４記載のバッグ付ランドセルカバーは、請求項１乃至３いずれか記載のバッグ付ランドセルカバーであって、前記手提げ型バッグは、前面部に副収納部を備え、前記副収納部は、透明又は半透明な部材により形成されていることを特徴とする。
【００１４】
手提げ型バッグの前面に透明部材又は半透明部材からなる副収納部を設けることによって、前記副収納部の収納物を取り出すことなく、確認することができる。
【００１５】
請求項５記載の請求項１乃至４いずれか記載のバッグ付ランドセルカバーであって、前記手提げ型バッグ収納部の縦横寸法は、縦方向が略Ａ４判ファイル短手方向サイズ以上であり、横方向が略Ａ４判ファイル長手方向サイズ以上であることを特徴とする。
【００１６】
手提げ型バッグを前記サイズとすることにより、Ａ４判ファイルの収納が可能となり、尚且つＡ４判ファイルを横長状態で収納することにより、ランドセル蓋の湾曲状態にかかわらず、折り曲がらずに携行できることとなる。
【考案の効果】
【００１７】
本考案によれば、ランドセルの外観を損ねることなく、Ａ４判ファイルを収納することが可能となり、Ａ４判ファイルを折り曲げず、安全に携行することが可能である等の優れた効果を得ることができる。
【図面の簡単な説明】
【００１８】
【図１】本考案の実施の形態において、手提げ型バッグを取り外した状態におけるランドセルカバーの前面図である。
【図２】本考案の実施の形態において、手提げ型バッグの前面図である。
【図３】本項案の実施の形態において、手提げ型バッグの背面図である。
【図４】本考案の実施の形態において、手提げ型バッグを取付けた状態におけるランドセルカバーの前面図である。
【図５】本考案の実施の形態において、手提げ型バッグを取付けた状態におけるランドセルカバーをランドセルに装着し、ランドセルが開蓋状態時の前面図である。
【図６】本考案の実施の形態において、手提げ型バッグを取付けた状態におけるランドセルカバーをランドセルに装着し、ランドセルが閉蓋状態時の斜視図である。
【考案を実施するための形態】
【００１９】
以下、図面を参照しつつ、考案の実施の形態について説明する。
【００２０】
本実施の形態については、社団法人日本かばん協会ランドセル工業会規定の標準寸法（背幅２４センチメートル前後、背丈２８センチメートル前後、冠長さ４３センチメートル前後）のランドセルに装着するバッグ付ランドセルカバーについて説明する。
前規定寸法のランドセルの多くは、Ａ４版ファイルの収納が困難である。なお、本考案の実施の形態において、略Ａ４版ファイルとは、３１センチメートル×２３センチメートル程度をいう。
【００２１】
本件考案の実施の形態において、バッグ付ランドセルカバーは、前記ランドセル蓋に装着するランドセルカバー（以下、「カバー」という。）と、前記ランドセルカバーの内面部（前面）に取付ける手提げ型バッグ（以下、「バッグ」という。）から構成される。
そして、前記カバーへの前記バッグの取付手段として、スナップボタンを使用しているが、両者が着脱自在である限りにおいて、面ファスナー、線ファスナー、磁石、バックル等による係着、紐状部材による結束等の手段であっても実施可能である。
本考案の実施の形態としては、前記カバーの外面部及び内面部、前記バッグの前面部、背面部及び副収納部が透明部材又は半透明部材で形成されることとしているが、そのすべてが非透明部材で形成されていても実施可能であり、また、その一部面を非透明部材としても実施可能であり、特に限定されるものではなく、透明部材又は半透明部材と非透明部材の使用箇所、使用割合等は任意である。
【００２２】
以下、図１乃至図６を参照しつつ、前記カバー１及び前記バッグ１１について説明していく。
【００２３】
図１は、前記ランドセル２１に非装着状態であって、前記バッグ１１を取り外した状態における前記カバー１の前面図である。
前記カバー１は、外面部材２と、内面部材である帯状部材３、スナップボタン取付部材４及び蓋ベルト通し部材５とを重ね合わせて、それらの外縁を縁取り部材９で縫合することによって止着させている。
なお、スナップボタン雄７が嵌着され、ランドセルの蓋ベルト２３が挿通できる限りにおいて、前記スナップボタン取付部材４と蓋ベルト通し部材５とを一体形成とすることも可能であり、前記縁取り部材９も前記外面部材２と内面部材とを十分な強度で止着できる限りにおいて、それら外縁すべてでなく、一部の外縁のみを縫合するようにしてもよい。
また、内面部材それぞれの前記カバー１長手方向の幅については、ランドセル蓋２２に安定固定でき、前記スナップボタン雄７の嵌着が可能であり、前記バッグ１１を安定取付できる限りにおいて、任意である。
ここで、前記外面部材２、前記スナップボタン取付部材４及び蓋ベルト通し部材５は、透明部材で形成されているが、その素材としては、前記ランドセル蓋２２に沿って湾曲することとなるため、柔軟な塩化ビニル、ポリエチレン等が適している。また、前記帯状部材３及び前記縁取り部材９については、布、塩化ビニル等の柔軟性のある素材が適している。
【００２４】
そして、前記カバー１の短手方向サイズについては、前記縁取り部材９を除いた前記ランドセル蓋２２が挿通される部分の幅は、前記ランドセル蓋２２の幅よりも５ミリセンチメートルから１．５センチメートル程度広くすることが好ましい。これよりも狭い場合、前記ランドセル蓋２２を挿通するにはきつくなって装脱着が困難となり、これよりも広い場合、前記ランドセル蓋２２と前記カバー１との間の遊びが大きくなり、型くずれ等の原因となる。
また、前記カバー１の長手方向サイズについては、前記ランドセル蓋２２を被う十分な長さが必要であるが、あまり長くすると型くずれ等の原因となるので、前記縁取り部材９を除いた部分が、前記ランドセル蓋２２と同程度の長さが好ましい。
【００２５】
次に、前記バッグ１１について説明する。図２は前記バッグ１１単体の前面図であり、図３は前記バッグ１１単体の背面図であり、図４は前記バッグが取付けられた状態の前記カバー１の前面図となる。
本考案実施の形態において、前記バッグ１１の前面部、背面部、そして前面部に設けられた副収納部は、それぞれ透明部材から形成されているが、塩化ビニル、ポリエチレン等の柔軟な素材が適している。
また、前記バッグ１１の開口部１３は、線ファスナー１４により開閉自在としている。特に開閉手段を設けずに開口部を常に開放状態としておくと、前記カバー１取付時にランドセル蓋２２が開蓋状態となる際に、前記バッグ１１の持ち手１５側が下方となるので、収納物がこぼれ落ちることとなるため、何らかの開閉手段を設ける必要がある。本考案実施の形態においては、線ファスナー１４を使用しているが、逆さの状態で収納物がこぼれ落ちないように開口部を十分な強度で閉じることができる限りにおいて、スナップボタン、面ファスナー、帯状部材に美錠・バックル等を装着して係着させる等の手段を用いることが可能である。
なお、開口部を前記バッグ１１前面部の持ち手寄り長手方向に設けているが、前記バッグ１１の上面部、側面部に設けてもよい。
【００２６】
本考案実施の形態においては、前記バッグ１１の前面部に透明部材から形成される副収納部１２を設けている。前記副収納部１２の開口部は、前記バッグ１１の短手側に設けており、その開口部は開放状態としている。時間割表等の印刷物を前記副収納部１２に収納すると、前記副収納部１２の前面部は透明となっているため、前記印刷物を取り出すことなく、視認することが可能となっており、常に収納状態のまま、時間割の確認をすることができる。
なお、前記副収納部１２の開口部については、前記バッグ１１の長手方向に設けてもよく、開放状態ではなく開閉手段を設けてもよいが、本実施例のようにすることによって、前記バッグ１１を前記カバー１取付け時において、前記ランドセル蓋２２が閉じた状態であっても、前記ランドセル２１の横手方向から収納物へのアプローチが容易であり、その出し入れを可能にするという利点がある。
また、前記副収納部１２を設けなくとも、前記バッグ１１の前面部が透明部材で形成されている限りにおいて、前記バッグ１１の収納部の最前面に印刷物を収納すれば、前面側の印刷内容が視認できることとなり、前記副収納部１２に収納する場合と同様の効果が得られることとなる。
【００２７】
前記バッグ１１の主収納部の縦横寸法を、縦２３センチメートル以上、横３１センチメートル以上とすることにより、前記ランドセル２１には収納が困難であるＡ４版ファイルを収納することが可能であり、ある程度のマチを設ければ、厚みのあるＡ４版ファイルの収納も可能である。
しかし、前記カバー１１に取付ける際に、縦方向の長さをとりすぎると、ランドセル蓋２２を閉蓋することができなくなり、横方向の長さをとりすぎると、ランドセル蓋２２から大きくはみ出すこととなり、歩行中に何かに引っ掛かるおそれがあり危険である。そのため、Ａ４版ファイルを収納するに十分な寸法があれば十分であり、縦２４〜２７センチメートル程度、横３２〜３５センチメートル程度が適当である。
【００２８】
前記バッグ１１の背面部にスナップボタン雌１６をふたつ嵌着しているが、前記スナップボタン雌１６と、前記カバー１のスナップボタン取付部材４に嵌着されているふたつのスナップボタン雄７とを係合することにより、前記バッグ１１を前記カバー１に取付けることとなる。
係合するスナップボタンを二組としているが、その組数は任意ではあるが、一組とすると、前記バッグ１１が該スナップボタンを中心として可動するため不安定となり、三組以上とすると取り外しに手間がかかることとなるため、二組が適当である。
なお、前記バッグ１１にスナップボタンの雌、前記カバー１にスナップボタンの雄を嵌着しているが、当然に逆であってもよい。
【００２９】
次に、前記ランドセルカバー１を前記ランドセル蓋２２に装着する方法について説明する。図５は、前記バッグ１１を取付けた前記ランドセルカバー１を、前記ランドセル２１に装着した状態の図となる。
前記ランドセル２１の前記ランドセル蓋２２の先端に縫着されている前記蓋ベルト２３を、前記カバー１短手方向の掛け紐８側から、外面部材２と帯状部材３との間に挿通し、前記ランドセル蓋２２をも挿通する。このとき、ランドセル蓋２２の外面部側が前記カバー１の外面部材２側にくるようにする。さらに、前記蓋ベルト２３を前記スナップボタン取付部材４及び前記蓋ベルト通し部材５と外面部材２との間へと挿通し、前記蓋ベルト２３を切り欠き６から抜き出し、前記ランドセル蓋２２の先端部を、前記カバー１短手方向の切り欠き６側の前記縁取り部材９と隙間ない程度までに移行させる。このとき、前記ランドセル蓋２２は、前記外面部材２と、前記帯状部材３、前記スナップボタン取付部材４及び前記蓋ベルト通し部材５との間に狭時された状態となる。そして、前記掛け紐８を前記ランドセル２１の吊り環に引っ掛けることによって、前記ランドセル蓋２２は前記カバー１によって被せられ、装着が完了する。
なお、図１に示すように前記バッグ１１を取り外した状態、または、図４に示すように前記バッグ１１を取付けた状態のどちらであっても、前記カバー１を前記ランドセル２１へ装着することは可能である。
【００３０】
また、前記バッグ１１を取り外した状態において、時間割表等の印刷物を、前記ランドセル蓋２２と、前記スナップボタン取付部材４及び前記蓋ベルト通し部材５との間に狭入すれば、前記ランドセル蓋２２と前記カバー１とで狭持され、前記スナップボタン取付部材４及び前記蓋ベルト通し部材５とが透明部材で形成されていることにより透視が可能となり、抜き差しすることなく時間割の確認をすることができる。
【００３１】
図６は前記バッグ１１を取付けた前記カバー１を、前記ランドセル２１に装着して、前記ランドセル蓋２２を閉蓋した状態の図であって、実際に該状態で学童が背負い、持ち運びされることとなるが、前記バッグ１１は前記ランドセル蓋２２と前記ランドセル本体２４とで狭持されるとともに、スナップボタンでカバー１１に係着されていることから、前記バッグ１１が不安定となることはない。
そして、前記ランドセル蓋２２が閉蓋となっている該状態においては、前記カバー１から前記バッグ１１を取り外すことはできず、また前記バッグ１１の開口部１３を開けることもできないため、防犯上も安全である。さらに、前記バッグ１１の大部分が前記ランドセル２１で隠れるため、汚れが少なくなるという効果もある。
このとき、前記バッグ１１が接する部分の前記ランドセル蓋２２内面部に対峙する前記ランドセル本体２４前面部は略平面となっているため、前記バッグにＡ４版ファイルを収納した際に、平面性が保たれるため、折り曲がらずに携行が可能となる。
【００３２】
また、前記バッグ１１を前記カバー１から取り外し、持ち手１５を持って、通常の手提げバッグとしての使用も可能であり、状況に応じた態様での使用ができる。
【符号の説明】
【００３３】
１              ランドセルカバー
２              外面部材
３              帯状部材
４              スナップボタン取付部材
５              蓋ベルト通し部材
６              切り欠き
７              スナップボタン雄
８              掛け紐
９              縁取り部材
１１            手提げ型バッグ
１２            副収納部
１３            開口部
１４            線ファスナー
１５            持ち手
１６            スナップボタン雌
２１            ランドセル
２２            ランドセル蓋
２３            蓋ベルト
２４            ランドセル本体
【図１】
0003184840.tif 000003
【図２】
0003184840.tif 000004
【図３】
0003184840.tif 000005
【図４】
0003184840.tif 000006
【図５】
0003184840.tif 000007
【図６】
0003184840.tif 000008